(57)【要約】【課題】遊技者が煩雑な作業をしなくても遊技履歴を利用した遊技を容易に楽しむこと。【解決手段】サブ制御基板３２０は、演出操作ボタンＳの押下によりＬＣＤにパスワード登録画面７１０を表示する。パスワード入力欄７１１は初期状態空欄で、遊技者が記号を選択して入力し、登録録処理において遊技者が選定したパスワードが、サブ制御基板３２０の記憶装置６００に設けられたパスワード記憶欄６１０に記憶される。この際、既登録パスワードとの重複登録を回避する。遊技履歴の蓄積開始が指令されたら、遊技履歴蓄積メモリ６３０へと遊技履歴の蓄積を開始する。この際、登録済みのパスワードに対応する履歴を読み出して追加蓄積し、蓄積終了時にパスワードに対応する遊技履歴欄６２０へと記憶し、特定の遊技機について特定の遊技者の遊技履歴を遊技者自身の選定したパスワードと対応付けて記憶しておく。【選択図】  図７
2014230642.tif 000002
【特許請求の範囲】
【請求項１】
遊技履歴情報を次回遊技時に反映させた演出を実行することができる遊技機であって、以下の構成を備えていることを特徴とする遊技機。
（１）遊技者側で選定したパスワードを遊技機に登録するパスワード登録手段を備えていること。
（２）遊技者からの遊技履歴の蓄積要求を受け付け、その後の遊技履歴を蓄積する遊技履歴蓄積手段を備えていること。
（３）所定の契機が与えられたときに、前記遊技履歴蓄積手段に蓄積された遊技履歴を、前記遊技者側が選定したパスワードと対応付けた遊技履歴情報として記憶するパスワード別遊技履歴情報記憶手段を備えていること。
（４）前記登録されたパスワードに対応する遊技履歴情報を反映した履歴反映遊技の実行要求を受け付け、当該実行要求の際に入力されたパスワードに基づき、前記パスワード別遊技履歴情報記憶手段から対応する遊技履歴情報を読み出し、当該遊技履歴情報を反映した履歴反映遊技を実行する履歴反映遊技実行手段を備えていること。
【請求項２】
さらに、以下の構成を備えていることを特徴とする請求項１に記載の遊技機。
（５）前記遊技履歴蓄積手段は、前記履歴反映遊技実行手段による履歴反映遊技が実行されるときは、前記読み出した遊技履歴と連続する様に遊技履歴を蓄積する手段として構成され、前記履歴反映遊技実行手段は、前記読み出した遊技履歴に連続する様に前記履歴反映遊技を開始する手段として構成されていること。
【請求項３】
さらに、以下の構成を備えていることを特徴とする請求項１又は２に記載の遊技機。
（６）前記遊技履歴蓄積手段に蓄積した遊技履歴が前記所定条件を満足したことを契機に実行可能となる特別演出を記憶した特別演出記憶手段を備えていること。
【請求項４】
さらに、以下の構成を備えていることを特徴とする請求項１〜３のいずれかに記載の遊技機。
（７）前記パスワード登録手段は、既登録パスワードと重複するパスワードの登録要求がなされたときは、パスワードの変更を求めるパスワード変更要求手段を備えていること。
【請求項５】
さらに、以下の構成を備えていることを特徴とする請求項４に記載の遊技機。
（８）前記パスワード変更要求手段は、既登録パスワードと重複しない新たなパスワードを生成して提示する新パスワード提示手段を備えていること。
【発明の詳細な説明】
【技術分野】
【０００１】
本発明は、パチンコ機、スロットマシンなどの遊技機に関する。
【背景技術】
【０００２】
従来、遊技開始時にパスワードを入力して大当たり回数等の遊技経過情報の収集を開始し、遊技終了時にパスワードを入力することで、この間に収集された遊技経過情報を含ませた二次元バーコードを生成して表示し、この二次元バーコードをカメラ付き携帯電話で読み取ってサーバにアクセスすることで、二次元バーコードに含まれた遊技履歴をサーバにアップロードし、このサーバを介して遊技履歴を確認できる様にすることが提案されている（特許文献１）。
【０００３】
また、こうしたシステムのセキュリティを向上させるために、遊技履歴蓄積開始用のパスワードを、遊技機のＩＤと携帯端末の固有ＩＤとに基づいてサーバ側でその都度生成して携帯端末に返信し、この開始パスワードを遊技者が入力すると遊技機側でパスワード認証を実行し、履歴の蓄積や過去の遊技履歴を利用した遊技を楽しむことができる様にしたシステムも提案されている（特許文献２）。
【先行技術文献】
【特許文献】
【０００４】
【特許文献１】特開２００７−２４４６２６
【特許文献２】特開２０１２−２２３４８０
【発明の概要】
【発明が解決しようとする課題】
【０００５】
特許文献１の技術では、単に遊技履歴を確認することしかできない。特許文献２の技術では、遊技履歴に応じて各種カスタマイズを可能とする機能を遊技機に持たせてあり、遊技履歴やカスタマイズ結果を次回の遊技に反映させることができる様にしている。
【０００６】
しかしながら、特許文献２の技術において、遊技履歴を用いた遊技を行うに際しては、サーバへの保存が前提となっているため、サーバを用意しなければならない。また、サーバと通信するための携帯端末を遊技者が持っていなければならない。そして、サーバ及び携帯端末が用意されたとしても、遊技者は二次元バーコードを読み取ったり、サーバと通信したり、その都度生成されるパスワードを入力したりといった煩雑な作業が必用となる。
【０００７】
そこで、本発明は、遊技者が煩雑な作業をしなくても遊技履歴を利用した遊技を容易に楽しむことができる様にすることを目的とする。
【課題を解決するための手段】
【０００８】
かかる目的を達成するためになされた本発明の遊技機は、遊技履歴情報を次回遊技時に反映させた演出を実行することができる遊技機であって、以下の構成を備えていることを特徴とする。
（１）遊技者側で選定したパスワードを遊技機に登録するパスワード登録手段を備えていること。
（２）遊技者からの遊技履歴の蓄積要求を受け付け、その後の遊技履歴を蓄積する遊技履歴蓄積手段を備えていること。
（３）所定の契機が与えられたときに、前記遊技履歴蓄積手段に蓄積された遊技履歴を、前記遊技者側が選定したパスワードと対応付けた遊技履歴情報として記憶するパスワード別遊技履歴情報記憶手段を備えていること。
（４）前記登録されたパスワードに対応する遊技履歴情報を反映した履歴反映遊技の実行要求を受け付け、当該実行要求の際に入力されたパスワードに基づき、前記パスワード別遊技履歴情報記憶手段から対応する遊技履歴情報を読み出し、当該遊技履歴情報を反映した履歴反映遊技を実行する履歴反映遊技実行手段を備えていること。
【０００９】
本発明の遊技機によれば、パスワード登録手段は、例えば、サブ制御基板の記憶装置にパスワード登録領域を備えるといった構成で実現することができる。このとき、「全く任意のパスワードを選定することができる構成」としてもよいし、「一定のルール内で選定させる構成」としても構わない。あるいは、「遊技機が提示した複数のパスワード候補の中から遊技者の選択によってパスワードを選定させる構成」としてもよい。
【００１０】
なお、「遊技機がパスワードを生成する構成において、パスワードの先頭に、例えばイニシャル等の個人を容易に特定できる付加情報を追加させる構成」としてもよい。イニシャルで始まるパスワードならば、全部を覚えていなくても、「イニシャル入力で検索機能を起動させ、当該イニシャルで始まる既登録パスワードを表示して選択させる構成」によって、遊技履歴の蓄積要求や遊技履歴反映演出の実行要求の際のパスワード入力の手間を省くことができる。いずれにしても、遊技機が勝手に生成した無意味な記号列そのものをパスワードとする訳ではないから、遊技者は思い出し易い。
【００１１】
ここで、パスワード登録は、「（ａ）遊技履歴蓄積手段による遊技履歴蓄積の開始前に実行させる構成」としてもよいし、「（ｂ）遊技履歴情報をパスワード別遊技履歴情報記憶手段に記憶する際に実行させる構成」としてもよい。
【００１２】
なお、パスワード登録の時期を（ｂ）としても構わないのは、遊技履歴蓄積手段への遊技履歴の蓄積に関しては、蓄積開始の指令に応じて単純に遊技履歴を蓄積しておき、パスワード別遊技履歴情報記憶手段に記憶する際にパスワードと対応付けることができれば足りるからである。いずれにしても、第１回目として遊技履歴情報を記憶させるまでにパスワードが決定していればよいのである。
【００１３】
遊技者から遊技履歴の蓄積要求が入力されると、遊技機側では、遊技履歴蓄積手段が、その後の遊技履歴を、例えばサブ制御基板の記憶装置内の一次記憶領域（ワーキングメモリ）などを利用して、蓄積を開始する。なお、ワーキングメモリではなく、記憶装置本体に遊技履歴蓄積領域を設けておいてもよい。また、遊技履歴情報記憶手段となるべき登録領域を遊技履歴蓄積手段による遊技履歴の蓄積領域を兼ねさせる構成としてもよい。
【００１４】
ここで蓄積される遊技履歴は、スタート回数、大当り回数や大当たりの種類、連荘回数、獲得出球などのメイン制御基板の演算処理結果としてサブ制御基板へと入力されるメイン系の遊技履歴や、特定の演出や予告の発生回数などといったサブ制御基板自身の演算処理結果に基づくサブ系の遊技履歴を挙げることができる。なお、メイン系遊技履歴、サブ系遊技履歴の両方を記憶しなくてもよい。また、例えばメイン系遊技履歴を記憶する場合、メイン系遊技履歴の全てである必用はなく、その一部であってもよい。サブ系遊技履歴についても同様である。さらに、ＢＧＭや表示画面のフレームなどに対する遊技者によるカスタマイズ機能を備えさせてある場合は、当該カスタマイズ機能によって生成された情報を遊技履歴として蓄積対象にすることもできる。
【００１５】
こうして蓄積された遊技履歴は、例えば、「デモ画面表示中」や「変動演出が実行されていない状態」において、演出ボタン等を操作したときに「遊技履歴蓄積終了画面」を表示し、遊技者の操作に従って当該遊技者の選定したパスワードと対応付けた遊技履歴情報の蓄積を行う様に、「遊技者の積極的な指令」によって「所定の契機」を与える様に構成してもよいし、「貸し玉装置に挿入されていたカード媒体が取り出される」といった状態を「所定の契機」としてもよい。こうして「所定の契機」が与えられたとき、遊技履歴蓄積手段に蓄積された遊技履歴が、遊技者側が選定したパスワードと対応付けてパスワード別遊技履歴情報記憶手段に記憶される。
【００１６】
ここで、「（ｐ）遊技履歴情報の記憶に際して遊技履歴を対応付けるべきパスワードの入力を要件とする構成」とすることができる。一方、「（ｑ）遊技履歴蓄積開始時にパスワード入力を要件としておき、遊技履歴情報の記憶の際にはパスワード入力を要件としない構成」とすることもできる。なお、パスワード登録の時期を（ｂ）とする構成にあっては、上記（ｐ）の構成を採用することが望ましい。
【００１７】
また、遊技履歴蓄積開始時にパスワード入力を要件とし、遊技履歴情報記憶の際にもパスワード入力を要件とする場合には、「遊技履歴蓄積開始時に入力したパスワードと遊技履歴情報記憶の際に入力したパスワードの照合を行い、一致する場合に遊技履歴情報の記憶を行い、不一致の場合は、パスワードの再入力を求める構成」を採用するとよい。
【００１８】
こうして遊技履歴情報を記憶させた遊技機に、遊技者が再び臨んだとき、前回までの遊技履歴情報を反映した遊技を希望する場合は、自身が選定して当該遊技機に登録したパスワードを入力及び履歴反映遊技の実行要求を指令する。すると、履歴反映遊技実行手段は、入力されたパスワードが当該遊技機に登録済みのパスワードであるときは、この要求を受け付け、このとき受け付けたパスワードに基づいて、パスワード別遊技履歴情報記憶手段から対応する遊技履歴情報を読み出し、この遊技履歴情報を反映した遊技を開始させる。
【００１９】
この履歴反映遊技としては、例えば、「前回の成績を確認するテーブル、グラフ等を表示させる」とか、「前回カスタマイズしたＢＧＭを利用する」といった反映の仕方でも構わないが、さらに、以下の様に構成することができる。
【００２０】
即ち、本発明の遊技機は、さらに、以下の構成をも備えたものとすることができる。
（５）前記遊技履歴蓄積手段は、前記履歴反映遊技実行手段による履歴反映遊技が実行されるときは、前記読み出した遊技履歴と連続する様に遊技履歴を蓄積する手段として構成され、前記履歴反映遊技実行手段は、前記読み出した遊技履歴に連続する様に前記履歴反映遊技を開始する手段として構成されていること。
【００２１】
この場合、さらに、以下の構成をも備えたものとすることができる。
（６）前記遊技履歴蓄積手段に蓄積した遊技履歴が前記所定条件を満足したことを契機に実行可能となる特別演出を記憶した特別演出記憶手段を備えていること。
【００２２】
（４）の構成により、遊技者の過去の遊技履歴が蓄積され、記憶される結果、（５）の構成による遊技は、当該遊技機に遊技履歴を蓄積開始してから現在までの遊技履歴に連続した遊技とすることができる。従って、例えば、これまでの日々の大当たり回数の履歴を比較して自己の成績の変遷を楽しむことができる。また、「カスタマイズ情報が複数ある場合に、これら複数のカスタマイズ情報の中から今回使用するカスタマイズ情報を選択する構成」としておき、成績良好だった日のカスタマイズＢＧＭを選択するといった遊技を楽しむこともできる。この結果、当該遊技機において遊技をした過去の履歴に残っている遺産を有効に使うことができる。
【００２３】
そして、さらに（６）の構成をも備える場合、一日では達成できない様な回数の大当たり回数履歴を契機として設定されている様な特別演出を、同じ遊技機に向かって何日かかけて遊技することによって楽しむ様にすることもできる。
【００２４】
なお、こうした遊技履歴の蓄積は、遊技者側で選定したパスワードに対応付けられる結果、携帯端末を持参していなくてもよいし、携帯端末を変更したとしても問題はなく、さらには、当該パスワードを仲間内だけで共有しておいて、複数人で協力しあって大当たり回数を蓄積するといった楽しみ方も可能になる。
【００２５】
これら本発明の遊技機は、さらに、以下の構成をも備えたものとすることができる。
（７）前記パスワード登録手段は、既登録パスワードと重複するパスワードの登録要求がなされたときは、パスワードの変更を求めるパスワード変更要求手段を備えていること。
【００２６】
上述の様に、本発明の遊技機は、遊技者側が選定したパスワードを登録する構成であるため、万一、パスワードが重複登録されようとしたときは、（７）の構成によってパスワード変更を要求することにより、重複登録という新たな問題を阻止することができるからである。
【００２７】
この場合、さらに、以下の構成をも備えたものとすることができる。
（８）前記パスワード変更要求手段は、既登録パスワードと重複しない新たなパスワードを生成して提示する新パスワード提示手段を備えていること。
【００２８】
（７）によってパスワード変更を要求する場合に、（８）の構成により、遊技機側で、例えば、重複登録されようとしたパスワードに記号・文字・数字を追加するなどして重複登録を簡単に避けつつ遊技者が覚えやすいパスワードを提示し、覚えやすくかつ重複登録とならないパスワード登録を実現することができる。この場合、「パスワードの先頭部分を入力したら先頭部分の一致するパスワードを検索・表示するパスワード検索手段」を備えさせておくとさらに使い易いものとなる。
【００２９】
本発明の遊技機によれば、毎回異なるパスワードを入力する必要がなくなる。また、携帯電話を使用する必要がなくなる。その一方、遊技者自身の過去の遊技履歴を反映させることのできる遊技機は特定されることになる。しかし、このことは、その特定の遊技機で遊技をするために毎回同じ遊技機を選ぼうという心理が働き、当該遊技機の稼働率を向上させることも期待される。また、同じ遊技機であるからこそ、遊技者は、打球発射装置の癖などを知り、当該遊技機により合った打ち方を工夫するといった楽しみ方ができる。そして、自己の遊技履歴情報を利用するためのサーバを備えるといった遊技機提供者側の設備投資や管理の煩雑さ、をなくし、インターネット等に繋がらない遊技機単体への遊技履歴情報の記憶は、セキュリティ面でも優れたものとなり、安心して遊技を楽しみ、安心して遊技場を運営することができるという効果もある。
【発明の効果】
【００３０】
本発明によれば、遊技者が煩雑な作業をしなくても遊技履歴を利用した遊技を容易に楽しむことができる。
【図面の簡単な説明】
【００３１】
【図１】実施例１のパチンコ機を示し、（Ａ）は遊技盤を取り外した状態の斜視図、（Ｂ）は正面図、（Ｃ）は分解斜視図である。
【図２】実施例１のパチンコ機の制御装置の構成を示すブロック図である。
【図３】実施例１のパチンコ機における賞球払出制御処理を説明する図であって、（Ａ）は制御系統のブロック図、（Ｂ）は演算処理のフローチャートである。
【図４】実施例１のパチンコ機における乱数抽選を説明する図であって、（Ａ）は制御系統のブロック図、（Ｂ）は演算処理のフローチャートである。
【図５】実施例１のパチンコ機における保留消化処理を説明する図であって、（Ａ）は制御系統のブロック図、（Ｂ）は演算処理のフローチャートである。
【図６】実施例１のパチンコ機における演出制御を説明する図であって、（Ａ）は制御系統のブロック図、（Ｂ）は演算処理のフローチャートである。
【図７】実施例１のパチンコ機におけるパスワード登録を説明する図であって、（Ａ）は制御系統のブロック図、（Ｂ）は演算処理のフローチャートである。
【図８】実施例１のパチンコ機における履歴蓄積開始を説明する図であって、（Ａ）は制御系統のブロック図、（Ｂ）は演算処理のフローチャートである。
【図９】実施例１のパチンコ機における履歴蓄積を説明する図であって、（Ａ）は制御系統のブロック図、（Ｂ），（Ｃ）は演算処理のフローチャートである。
【図１０】実施例１のパチンコ機における履歴記憶を説明する図であって、（Ａ）は制御系統のブロック図、（Ｂ）は演算処理のフローチャートである。
【図１１】実施例１のパチンコ機における履歴反映演出（大当たり）を説明する図であって、（Ａ）は制御系統のブロック図、（Ｂ）は演算処理のフローチャートである。
【図１２】実施例１のパチンコ機における履歴反映演出（成績表示）を説明する図であって、（Ａ）は制御系統のブロック図、（Ｂ），（Ｃ）は演算処理のフローチャートである。
【図１３】実施例１のパチンコ機における履歴反映演出（カスタマイズ演出）を説明する図であって、（Ａ）は制御系統のブロック図、（Ｂ）は演算処理のフローチャートである。
【図１４】実施例２のパチンコ機におけるパスワード登録を説明する図であって、（Ａ）は制御系統のブロック図、（Ｂ）は演算処理のフローチャートである。
【図１５】実施例３のパチンコ機におけるパスワード登録を説明する図であって、（Ａ）は制御系統のブロック図、（Ｂ）は演算処理のフローチャートである。
【図１６】実施例４のパチンコ機におけるパスワード登録を説明する図であって、（Ａ）は制御系統のブロック図、（Ｂ）は演算処理のフローチャートである。
【図１７】実施例５のパチンコ機における履歴蓄積開始を説明する図であって、（Ａ）は制御系統のブロック図、（Ｂ）は演算処理のフローチャートである。
【図１８】実施例６のパチンコ機における履歴蓄積・パスワード登録を説明する図であって、（Ａ）は制御系統のブロック図、（Ｂ）は演算処理のフローチャートである。
【図１９】実施例７のパチンコ機における履歴蓄積を説明する図であって、（Ａ）は制御系統のブロック図、（Ｂ）は演算処理のフローチャートである。
【図２０】実施例８のパチンコ機における履歴反映演出（大当たり）を説明する図であって、（Ａ）は制御系統のブロック図、（Ｂ）は演算処理のフローチャートである。
【発明を実施するための形態】
【００３２】
以下、本発明の実施形態として、具体的な実施例を図面に基づき詳細に説明する。実施例において「左」又は「右」とは、パチンコ機の表側（前面側）から見たときの「左」又は「右」を示すものとする。
【実施例１】
【００３３】
［１  遊技機全体の概要］
実施例１のパチンコ遊技機Ｐは、図１に示す様に、外枠Ａ、中枠Ｂ、遊技盤Ｃ、前枠Ｄ、上の球受け皿Ｅ、下の球受け皿Ｆ及び発射装置Ｇを備えている。外枠Ａはパチンコ機Ｐの外郭を構成する縦長方形の枠である。中枠Ｂは、各種の遊技用構成部材をセットするための縦長方形の枠であって、外枠Ａの前面側に開閉可能かつ着脱可能に組み付けられる。遊技盤Ｃは、中枠Ｂの開口部に取り付けられる。前枠Ｄは遊技盤Ｃの透視保護窓であって、施錠装置Ｈの操作によって開閉可能な様に中枠Ｂの前面側に組み付けられる。上の球受け皿Ｅは、貸し球や賞球の受け皿で、本実施例においては前枠Ｄの下部と一体に構成されている。従って、前枠Ｄを中枠Ｂに対して開閉するときに上の球受け皿Ｅも共に開閉される。下の球受け皿Ｆは、上の球受け皿Ｅが一杯になったときに排出される遊技球や打ち損じの遊技球等を受ける受け皿であって、中枠Ｂの下部に固定されている。発射装置Ｇは、上の球受け皿Ｅから発射レールに送り込まれた遊技球をハンドル操作に対応する強さで打ち出すための装置であって、中枠Ｂの右下部に装備される。
【００３４】
中枠Ｂは、上縁をなす上枠部材Ｂ１と、下縁をなし発射装置Ｇ等が設置された下枠部材Ｂ２と、左側縁をなす左枠部材Ｂ３と、右側縁をなす右枠部材Ｂ４とから構成されて、これら上下左右の枠部材Ｂ１〜Ｂ４を組み付けた際に、全体が外枠Ａの開口に整合する矩形枠状に形成される。そして、上下左右の枠部材Ｂ１〜Ｂ４を組み付けた際に開口する開口部分が、遊技盤Ｃを設置する遊技盤保持部Ｂ５として機能する。ここで、中枠Ｂは、外枠Ａの左上端部及び左下端部に設けられた支軸を介して枢支され、左側端部を中心として中枠Ｂを回転させることで外枠Ａに対して中枠Ｂを開閉し得るようになっている。本実施例では、中枠Ｂが組立体となっている場合を説明したが、中枠Ｂは一体品でも構わない。
【００３５】
また、上の玉受け皿Ｅの右側には、貸し玉ボタンＱ、カード取り出しボタンＲ、演出操作ボタンＳも備えられている。実施例のパチンコ遊技機Ｐが設置される遊技島には、遊技機毎にカードユニットが設置されていて、このカードユニットに挿入されたカード式記憶媒体に対して、入金度数を記憶するシステムが採用されている。貸し玉ボタンＱは、このカード式記憶媒体に残度数がある場合に押下することで、例えば、２度数、５度数等の単位度数分の貸し玉指令を行うための押しボタンである。カード取り出しボタンＲは、遊技を終了したり、離席する際にカードユニットからカード式記憶媒体を取り出すための指令を入力するための押しボタンである。演出操作ボタンＳは、回転と押下とを行い得るものであって、内部にＬＥＤを備えている。このＬＥＤは、所定の遊技状態において点灯され、遊技者に演出ボタン操作を促す等のために設けられている。本実施例においては、この演出ボタンＳは、その操作により、演出効果を高めるためのメッセージ表示等を行うだけではなく、後述する遊技履歴の蓄積開始、遊技履歴の記憶、さらには遊技履歴を反映した演出の実行等にも関与する部品ともなっている。
【００３６】
［２  制御装置の構成］
図２に示す様に、ＣＰＵ，ＲＯＭ，ＲＡＭ，クロック等を備えた主制御基板３１０に対して、遊技盤Ｃに備えられた各入賞口への遊技球の入賞を検知する入賞検知センサＳＥ１，ＳＥ２，…、裏ユニットの球排出通路へと遊技球が排出されたことを検知する排出球検知センサＳＥ１１，ＳＥ１２，…からの検知信号が入力される様になっている。また、主制御基板３１０からは、サブ制御基板３２０、払出制御基板３３０、及び発射制御基板３４０へとコマンドが出力される様になっている。インタフェース基板３５０は、払出制御基板３３０との間でコマンドのやり取りを行う構成となっている。なお、電源基板３６０は、電源中継基板３８０を介して主制御基板３１０への電源供給を行う構成となっている。そして、サブ制御基板３２０は、演出表示制御基板３７０へとコマンドを出力する構成となっている。また、貸し玉ボタンＱ、カード取り出しボタンＲからの押下信号は、球貸し操作基板３９０へと入力され、この球貸し操作基板３９０からインタフェース基板３５０を経由して払出制御基板３３０へと入力される構成となっている。インタフェース基板３５０はまた、カードユニット５００との間でもコマンドをやり取りする構成となっている。また、演出操作ボタンＳからの押下信号は、サブ制御基板３２０へと入力される構成となっている。
【００３７】
サブ制御基板３２０は、主制御基板３１０からの演出指令信号に基づいて、発光装置ＬＥＤ、スピーカＳＰ、モータＭＴ、ソレノイドＳＯＬに対して制御信号を出力して発光演出、音声演出、可動体演出を実行すると共に、演出表示制御基板３７０へと演出表示のためのコマンドを出力している。演出表示制御基板３７０は、サブ制御基板３２０からの演出表示のための指令信号に基づいて、液晶表示装置ＬＣＤに対して制御信号を出力し、表示演出を実行する。
【００３８】
払出制御基板３３０は、主制御基板３１０からの払出コマンドに従って、賞球の払出を実行する。賞球払出個数は、どの入賞口に入賞したかによって予め定められている。また、主制御基板３１０は、払出制御基板３３０の外部出力端子を介してホールコンピュータ４００へとエラー信号を出力する機能も備えている。
【００３９】
発射制御基板３４０は、主制御基板３１０からの制御コマンドに従って、発射装置Ｇによる打球の発射・停止を実行する。打球の停止は、例えば、何らかのエラーが発生したときなどに指令される。
【００４０】
インタフェース基板３５０は、球貸し操作基板３９０からの貸し玉指令やカード取り出し指令の中継基板として機能する。貸し玉指令は、インタフェース基板３５０を中継して払出制御基板３３０とカードユニット５００へと出力される。貸し玉指令が入力された払出制御基板３３０は、ＢＣユニット３３５へと玉貸し信号を出力し、ＢＣユニット３３５が作動して上皿Ｅへと玉貸しが実行される。また、貸し玉指令が入力されたカードユニット５００は、貸し玉指令に対応する残度数管理を行う。具体的には、カード式記憶媒体の残度数の減算処理を行う。そして、カードユニット５００は、減算処理した後の残度数データをインタフェース基板３５０へと出力する。この残度数データは、貸し玉ボタンＱの近傍に設けられた残度数表示の更新に用いられる。また、カード取り出し指令は、インタフェース基板３５０を中継してカードユニット５００へと出力する。カードユニット５００は、カード取り出し指令が入力されるとカード取り出し動作を実行する。
【００４１】
［３  制御処理（賞球払出）］
主制御基板３１０は、図３（Ａ）に示す制御系統により、入賞検知センサＳＥ１〜ＳＥ７からの入賞検知信号が入力されると、各センサに対応する賞球払出個数に対応する賞球払出コマンドを払出制御基板３３０に対して出力する賞球払出処理を実行している。これを受けて、払出制御基板３３０は、遊技球の入賞口に対応して予め定められた個数の賞球の払出動作を実行する。
【００４２】
この賞球払出制御は、図３（Ｂ）に示す様な演算処理ルーチンとして実行され、入賞検知センサＳＥ１〜ＳＥ７からの検知信号が入力されたか否かを判断し（Ｓ１０）、「ＹＥＳ」と判定されたら、払出制御基板３３０に対してセンサを特定した賞球払出信号を出力すると共に（Ｓ２０）、抽選処理ルーチンを起動する（Ｓ３０）。
【００４３】
［４  制御処理（乱数抽選）］
また、主制御基板３１０は、図４（Ａ）に示す制御系統により、始動入賞口の入賞検知センサＳＥ１，ＳＥ２からの入賞検知信号が入力されると、乱数抽選を実行し、その結果を保留球記憶情報としてＲＡＭに記憶する乱数抽選処理を実行している。
【００４４】
ここで、本実施例の遊技機は、センター役物の下方に備えられた始動入賞口への入賞を契機として乱数を取得し、図柄変動ゲーム開始時に「当たり」か「はずれ」かを判定する。「当たり」には「２Ｒ通常」「２Ｒ確変」「１５Ｒ通常」「１５Ｒ確変」など、単に当たりというだけでなく、遊技者に対する有利さの異なる複数種類の当たり種別の中のいずれに該当するかを、別途行われる「当たり種別判定」として実行する。なお、「２Ｒ」「１５Ｒ」とは、特別遊技のラウンド数を意味し、「確変」とは、特別遊技終了後に抽選による大当たりの確率が高い高確率（「確率変動」ともいう）の遊技状態となる場合を意味する。「通常」は、特別遊技終了後に「確変」にならない場合を意味する。また、「２Ｒ」の場合、短時間だけ特別入賞口を開閉する動作となっていて実質的な出玉は期待できない遊技状態となっている。「２Ｒ通常」「２Ｒ確変」における特別入賞口の開放時間を、出玉獲得可能な時間に設定しても構わない。
【００４５】
「当たり／はずれ」の判定に続いて、変動パターンが乱数抽選される。「当たり」の場合は、上述の様に、遊技者に対する有利さの異なる複数種類の当たり種別があることから、これら当たり種別のいずれであるかにより、当選確率を異ならせた変動パターンが、例えば、Ａ〜Ｃといった具合に複数用意されている。この変動パターンは、変動時間の長さとなっている。具体的には変動パターンごとに変動時間が異なっている。ここまでは主制御基板３１０の処理として実行される。こうして主制御基板３１０の決定した変動パターンに基づいて、サブ制御基板３２０側で変動パターンに対応する演出パターンが抽選される。例えば、変動パターンがＡ〜Ｃであるとき、演出パターンは、変動パターンＡに対して複数用意された演出パターンＡ１〜Ａｎの中のいずれかが、変動パターンＢに対して複数用意された演出パターンＢ１〜Ｂｎの中のいずれかが、変動パターンＣに対して複数用意された演出パターンＣ１〜Ｃｎの中のいずれかが、サブ制御基板３２０側で決定されるといった処理が実行されることになる。
【００４６】
また、「はずれ」の場合は、リーチはずれにするか否かを別途乱数を用いて抽選し、リーチはずれとする場合は、さらに、「はずれリーチ」の「変動パターン」が乱数抽選によって決定される。なお、はずれリーチの変動パターンとしては、「リーチはずれ」「スーパーリーチはずれ」などがあり、「リーチはずれ」の抽選結果とならなかったときは「ノーマルはずれ」として定まっている変動パターンに基づくはずれ演出となる。「変動パターン」とは、変動時間のことであり、スーパーリーチの場合には複数の変動パターンの中の一つが抽選されることになる。「ノーマルはずれ」「リーチはずれ」「スーパーリーチはずれ」のいずれの変動パターンになるかは、当選確率が「ノーマルはずれ」＞「リーチはずれ」＞「スーパーリーチはずれ」となる様に乱数値との対応が予め定められている。なお、「リーチはずれ」「スーパーリーチはずれ」の変動パターンは、当たりの場合と逆の傾向となる様な当選確率で変動パターンと乱数値との関係が予め定められている。
【００４７】
上述の様に、「スーパーリーチ」にあっては、その変動パターンが複数（例えばＡ〜Ｃ）用意されていて、例えば、「当たり」のときは「スーパーリーチＡ」＞「スーパーリーチＢ」＞「スーパーリーチＣ」という当選確率でいずれのパターンに発展するかが設定され、逆に、「はずれ」のときは「スーパーリーチＣ」＞「スーパーリーチＢ」＞「スーパーリーチＡ」という当選確率でいずれのパターンに発展するかが設定されることにより、遊技者は、スーパーリーチ演出に発展したとき、「パターンＡ」の変動時間となる演出ならば「当たり」となることをより大きく期待し、逆に「パターンＣ」の変動時間となる演出ならば「当たりの可能性は小さい」と、期待度が低い感覚を抱く。この様に、スーパーリーチの際に抽選された変動パターンに基づいて実行される演出パターンにより、遊技者に与える期待感を異ならせ、この結果、「パターンＡ」は信頼度が高く、「パターンＣ」は信頼度が低いといった予測を遊技者に与えることが可能となっている。なお、「ノーマル演出」は「当たり」での当選確率を極めて低く設定することによって「ノーマル当たり」にプレミアム感を持たせることにもなる。
【００４８】
本実施例における乱数抽選処理は、図４（Ｂ）に示す様な演算処理ルーチンとして実行され、今回検知信号を入力したセンサが始動入賞口センサＳＥ１，ＳＥ２のものか否かを判定し（Ｓ１１０）、「ＮＯ」であれば直ちに処理を終了する。一方、「ＹＥＳ」と判定された場合は、保留球個数Ｎが４未満か否かを判定する（Ｓ１２０）。Ｎ＜４ならば（Ｓ１２０：ＹＥＳ）、保留球個数Ｎをインクリメントし（Ｓ１３０）、「ＮＯ」の場合は乱数抽選に進むことなく処理を終了する。
【００４９】
乱数抽選に進むと、まず、「当たり／はずれ」を判定するための乱数を取得する「当たり／はずれ抽選」を実行する（Ｓ１４０）。そして、「当たり」の場合は（Ｓ１５０：ＹＥＳ）、「当たり種別」を決定するための乱数を取得し（Ｓ１６０）、「当たり種別」に対応する「変動パターン」の抽選までが実行される（Ｓ１６５）。「はずれ」の場合は（Ｓ１５０：ＮＯ）、「リーチ演出の有無」を決定するための乱数を取得し（Ｓ１７０）、「リーチ演出あり」の場合は、さらに「変動パターン」の抽選までが実行される（Ｓ１７５）。そして、Ｓ１４０，Ｓ１６０，Ｓ１７０で生成した乱数値をＲＡＭに記憶する（Ｓ１８０）。本実施例の場合、「当たり／はずれ」の乱数が「当たり」の場合に続いて「当たり種別」の乱数を取得することで、上述した「２Ｒ通常」「２Ｒ確変」「１５Ｒ通常」「１５Ｒ確変」のいずれに該当するかが特定されることとなる。なお、「ノーマルはずれ」について複数の変動パターンが設定される場合には、Ｓ１７０で「ＮＯ」の判定となった後に、「ノーマルはずれの変動パターン抽選」が追加されていても構わない。
【００５０】
［５  制御処理（保留消化）］
次に、保留消化処理について説明する。主制御基板３１０は、図５（Ａ）に示す制御系統により、ＲＡＭ内に記憶された保留球記憶情報から乱数値を読み出し、当選条件と照合して演出指令コマンドをサブ制御基板３２０に対して指令する保留消化処理を実行する。
【００５１】
保留消化処理は、図５（Ｂ）のフローチャートに示す様に、特別遊技を実行していない状態のときに（Ｓ２１０：ＮＯ）、ＲＡＭ内に保留記憶情報があるか否かを判定し（Ｓ２２０）、保留記憶情報があるときは当該記憶内容を一つ読み出し（Ｓ２３０）、乱数値１，乱数値２に基づいて演出指令コマンドを決定する（Ｓ２４０）。そして、この演出指令コマンドをサブ制御基板３２０に対して出力すると共に（Ｓ２５０）、保留記憶情報の更新を行う（Ｓ２６０）。
【００５２】
［６  制御処理（演出制御）］
サブ制御基板３２０は、図６（Ａ）に示す制御系統により、主制御基板３１０からの変動パターン指令コマンドに対応してサブ制御基板側で抽選した演出パターンに従って、発光装置ＬＥＤ、スピーカＳＰ、モータＭＴ、ソレノイドＳＯＬに対して制御信号を出力し、発光演出、音声演出、可動体演出等を実行すると共に、演出表示制御基板３７０を介して液晶表示装置ＬＣＤによる表示演出を実行させる。なお、主制御基板３１０からエラー報知が指令されたときは、エラー報知処理を実行する。
【００５３】
この演出制御は、図６（Ｂ）示す様な演算処理ルーチンとして実行され、主制御基板３１０からの新たなコマンドが入力されたか否かを判定し（Ｓ３１０）、「ＹＥＳ」の場合は、当該コマンドがエラー報知か、変動パターン指令か、を判定する（Ｓ３２０）。ここで「エラー」ならば、エラーの種類を特定し（Ｓ３３０）、エラー報知を行って処理を終了する（Ｓ３４０）。一方、エラー報知でなく、「変動パターン指令コマンド」であるなら、変動パターン指令コマンドによって特定される変動パターン毎に複数用意されている演出パターンの中から抽選を行って一つの演出パターンを決定し（Ｓ３５０）、対応する演出制御データをＲＯＭから読み出し（Ｓ３６０）、演出表示制御基板３７０、発光装置ＬＥＤ等に対して制御データを出力する（Ｓ３７０）。
［７  履歴反映遊技］
【００５４】
本実施例のパチンコ機Ｐは、サブ制御基板３２０内の記憶装置６００に対して遊技者毎の遊技履歴を記憶しておき、この遊技履歴を反映した演出を実行することができるものとなっている。このため、パスワードの登録、履歴の蓄積、履歴の記憶、履歴の読出及び履歴反映遊技の実行という処理を行う。この記憶装置６００は、バックアップ電源によって電源遮断時にもデータを保持できるものである。
【００５５】
［７．１  パスワード登録］
まず、パスワード登録について説明する。サブ制御基板３２０は、図７（Ａ）に示す制御系統により、遊技開始時等に遊技者が演出操作ボタンＳを押下すると液晶表示装置ＬＣＤにパスワード登録画面７１０を表示する。本実施例では、パスワード登録画面７１０には、パスワード入力欄７１１、入力可能な数字・アルファベット（以下、「記号」という。）を列挙した記号選択欄７１２、登録ボタン７１３及び訂正ボタン７１４を表示する。初期状態は、パスワード入力欄７１１は空欄であり、記号選択欄７１２の記号「０」を反転表示とする。
【００５６】
遊技者が、記号を選択した上で演出操作ボタンＳを押下すると、当該記号をワーキングメモリに記憶すると共に、パスワード入力欄７１１の左端の空欄に表示する。この記号の選択は、例えば、演出操作ボタンＳを右に回転させると「０」→「１」→・・・→「Ａ」→「Ｂ」→・・・と記号選択欄７１２の反転表示を順送りし、演出操作ボタンＳを左に回転させると反転表示を逆送りするといった方法によって実行する。遊技者は、入力しようとする記号を反転表示させた状態で演出操作ボタンＳを押下することにより、記号を一つ選択する。
【００５７】
遊技者が、記号選択に続けて演出操作ボタンＳを再度押下すると、反転表示を登録ボタン７１３へと変化させる。そして、遊技者が再度演出操作ボタンＳを押下することによって登録処理へと進む。このとき、訂正したい場合は、演出操作ボタンＳを右回転させることにより、訂正ボタン７１４の反転表示状態とした上で演出操作ボタンＳを押下する。すると、ワーキングメモリに記憶した記号列を消去すると共に、初期状態に戻す。
【００５８】
なお、本実施例では、パスワードを最大８桁とし、遊技者が８桁の記号を選択し終えたときは、登録ボタン７１３の反転表示へと移行し、登録又は訂正の指令を待つ。遊技者は、記号選択に続けて演出操作ボタンＳを再度押下することによって、８桁未満のパスワードを選定することもできる。
【００５９】
遊技者が選定したパスワードは、サブ制御基板３２０の記憶装置６００に設けられたパスワード記憶欄６１０に記憶される。なお、遊技者が選定したパスワードが既登録パスワードと重複する場合には、パスワードの変更を求め、重複登録を回避する処理も行っている。
【００６０】
このパスワード登録のための制御処理は、図７（Ｂ）示す様な演算処理ルーチンとして実行される。このルーチンでは、遊技者からのパスワード登録要求があったときに、パスワード登録画面を表示し（Ｓ４１０，Ｓ４２０）、上述の様に、演出操作ボタンＳの回転と押下とによるパスワードの選定が可能な状態とする。遊技者が自分自身でパスワードを選定し終えて登録ボタン７１３が反転表示された状態で演出操作ボタンＳが押下されることによってパスワード入力が完了したと判断したら（Ｓ４３０：ＹＥＳ）、記憶装置６００のパスワード記憶欄６１０に既に登録されているパスワードと重複しないかを判断する（Ｓ４４０）。重複がない場合は（Ｓ４４０：ＹＥＳ）、パスワード登録（Ｓ４５０）へと進み、重複がある場合はパスワード変更要求表示（Ｓ４６０）へと進む。
【００６１】
［７．２  履歴蓄積開始］
次に、遊技履歴の蓄積について説明する。サブ制御基板３２０は、図８（Ａ）に示す制御系統により、遊技者が演出操作ボタンＳを操作して遊技履歴の蓄積開始を指令したときに、記憶装置６００の遊技履歴蓄積メモリ６３０へと遊技履歴の蓄積を開始する。本実施例では、この遊技履歴の蓄積開始に当たってパスワード入力画面７２０を液晶表示装置ＬＣＤに表示し、最初にパスワード入力を求める。なお、パスワード登録をしていない遊技者が遊技履歴の蓄積開始を指令したときのために、パスワード入力画面７２０には、パスワード入力欄７２１、記号選択欄７２２、決定ボタン７２３及び訂正ボタン７２４に加えて、新規ボタン７２５も備わっている。
【００６２】
この履歴蓄積開始のための制御処理は、図８（Ｂ）示す様な演算処理ルーチンとして実行される。このルーチンでは、遊技者からの履歴蓄積開始要求があったときに、パスワード入力画面を表示し（Ｓ５１０，Ｓ５２０）、パスワード登録の場合と同様の遊技者による演出操作ボタンＳの操作に基づいて遊技者がパスワードを入力し終えて決定を指令するのを待つ（Ｓ５３０）。遊技者が決定を指令したときは（Ｓ５３０：ＹＥＳ）、記憶装置６００のパスワード記憶欄６１０に登録済みであるか否かを判断する（Ｓ５４０）。登録済みである場合には（Ｓ５４０：ＹＥＳ）、「履歴追加蓄積」の処理へと進む。一方、登録済みでない場合には（Ｓ５４０：ＮＯ）、入力エラーを表示し（Ｓ５５０）、Ｓ５２０へと戻り、遊技者に再度パスワード入力を求める。
【００６３】
一方、決定ではなく、新規ボタン７２５を反転表示させて押下する操作がなされたときは（Ｓ５３０：ＮＯ→Ｓ５６０：ＹＥＳ）、パスワードの新規登録を行った上で（Ｓ５７０）、「履歴新規蓄積」へと進む。このパスワードの新規登録の処理内容は、パスワード登録処理におけるＳ４４０〜Ｓ４６０と同様の処理であって、重複登録を回避しつつパスワードの新規登録を実行する。
【００６４】
決定でも新規でもない場合（パスワード入力中及び訂正指令）は（Ｓ５３０：ＮＯ，Ｓ５６０：ＮＯ））、Ｓ５２０へと戻る。
【００６５】
この履歴蓄積開始の処理においてもパスワードの新規登録が実行できる様に構成されている結果、パスワードを登録せずに履歴蓄積を指令してしまったときも遊技者に煩わしさを感じさせることなく、履歴蓄積を開始することができる。
【００６６】
［７．３  履歴蓄積］
上述の処理に続いて実行する履歴蓄積について説明する。サブ制御基板３２０は、図９（Ａ）に示す制御系統により、主制御基板３１０から入力される遊技履歴（始動回数、リーチ回数、スーパーリーチ回数、大当たり回数、出玉数など）を遊技履歴蓄積メモリ６３０へと蓄積する。また、遊技者が演出操作ボタンＳを操作して実行する画面フレーム、ＢＧＭ、効果音（ＳＥ）などのカスタマイズ対象についてのカスタマイズ情報も遊技履歴蓄積メモリ６３０へと蓄積する。
【００６７】
この履歴蓄積のための制御処理は、図９（Ｂ），（Ｃ）示す様な演算処理ルーチンとして実行される。前述の履歴蓄積開始の処理によって「履歴追加蓄積」へと進んだときは（Ｓ５４０：ＹＥＳ）、図９（Ｂ）の演算処理が開始され、該当するパスワードに対して記憶装置６００の遊技履歴欄６２０に記憶されていた履歴情報を読み出す（Ｓ６１０）。そして、この履歴情報に続けて遊技履歴を蓄積する（Ｓ６２０）。この処理は、遊技者による蓄積終了を意味する操作が演出操作ボタンＳから入力されるまで継続して実行される（Ｓ６３０→Ｓ６２０）。蓄積終了が指令されたら（Ｓ６３０：ＹＥＳ）、「履歴記憶」へと進む。
【００６８】
一方、履歴蓄積開始の処理によって「履歴新規蓄積」へと進んだときは（Ｓ５７０：ＹＥＳ）、図９（Ｃ）の演算処理が開始され、履歴情報を読み出すことなく新規なものとして遊技履歴を蓄積し（Ｓ６２５）、蓄積終了が指令されたら（Ｓ６３５：ＹＥＳ）、「履歴記憶」へと進む。
【００６９】
例えば、Ｓ６２０，Ｓ６２５の履歴蓄積においては、主制御基板３１０から入力される遊技履歴は、総数と日付に対応した数値とをそれぞれ蓄積し、カスタマイズ情報は上書きする形で蓄積する。
【００７０】
［７．４  履歴記憶］
次に、履歴記憶について説明する。サブ制御基板３２０は、図１０（Ａ）に示す制御系統により、図１０（Ｂ）に示す演算処理を実行し、遊技履歴蓄積メモリ６３０に蓄積した履歴情報を読み出し（Ｓ７１０）、該当するパスワードの遊技履歴欄６２０へと上書きする（Ｓ７２０）。
【００７１】
［７．５  履歴反映演出（大当たり演出）］
履歴蓄積が開始された後、蓄積終了となるまでの間、サブ制御基板３２０は、図１１（Ａ）に示す制御系統により、表示演出、発光演出、音声演出、可動体演出を実行する。本実施例では、遊技履歴の大当たり回数が、例えば１００回などと設定されたプレミアム回数ＶＮＰに達したとき、通常は実行することのないプレミアム演出を予め記憶している。
【００７２】
この結果、図１１（Ｂ）示す様に、大当たりが発生したときは（Ｓ８１０）、履歴蓄積メモリ６３０の総数の大当たり回数ＶＮに関する履歴を読み出し（Ｓ８２０）、ＶＮがＶＰに達したか否かを判断する処理を実行している（Ｓ８３０）。ＶＮがＶＮＰに達していないときは（Ｓ８３０：ＮＯ）、通常データを読み出して大当たり演出を実行する（Ｓ８４０，Ｓ８５０）。一方、ＶＮがＶＮＰに達したときは（Ｓ８３０：ＹＥＳ）、上述したプレミアムデータの方を読み出して大当たり演出を実行する（Ｓ８４５，Ｓ８５０）。
【００７３】
なお、ＶＮＰに達したときだけでなく、その後は、プレミアム演出と通常演出を遊技者の希望によって選択できる様にしてもよい。また、プレミアム演出を複数用意しておき、Ｓ８３０での判断におけるＶＮとの比較値をＶＮＰ１，ＶＮＰ２，…と多段階にしてもよい。
【００７４】
［７．６  履歴反映演出（成績表示）］
本実施例では、履歴反映演出として、さらに、図１２（Ａ）に示す制御系統により、履歴蓄積開始時及び任意のタイミングにおいて、過去の成績を液晶表示装置ＬＣＤにグラフ表示する成績表示演出のための演出データもサブ制御基板３２０に記憶させている。
【００７５】
履歴蓄積開始時には、図１２（Ｂ）示す様に、成績に関する履歴情報を履歴蓄積メモリ６３０から読み出し（Ｓ１０１０，Ｓ１０２０）、液晶表示装置ＬＣＤに日付毎の棒グラフあるいは折れ線グラフなどとして表示する（Ｓ１０３０）。この成績グラフは、変動開始となったとき（Ｓ１０４０：ＹＥＳ）、または遊技者によるグラフ表示を閉じる旨の指令が入力されたときに（Ｓ１０５０：ＹＥＳ）、閉じられ、通常表示へと戻る（Ｓ１０６０）。
【００７６】
その後は、図１２（Ｃ）示す様に、遊技者から成績表示が指令されたとき（Ｓ１１１０：ＹＥＳ）、履歴蓄積メモリ６３０からの成績読み出し（Ｓ１１２０）、液晶表示装置ＬＣＤへのグラフ表示を実行する（Ｓ１１３０）。なお、この成績表示の指令は、変動中でないときに演出操作ボタンＳを操作することで実行可能に構成され、グラフ表示後に所定時間が経過するか（Ｓ１１４０：ＹＥＳ）、変動開始となったときには（Ｓ１１５０：ＹＥＳ）、閉じられ、通常表示へと戻る（Ｓ１１６０）。
【００７７】
［７．７  履歴反映演出（カスタマイズ演出）］
本実施例では、履歴反映演出として、さらに、図１３（Ａ）に示す制御系統により、遊技者の指令に基づいて画面フレーム、ＢＧＭ、ＳＥなどについてのカスタマイズデータに基づく演出も実行可能となっている。
【００７８】
この演算処理は、図１３（Ｂ）示す様に、遊技者からカスタマイズの指令がなされたときに開始される。なお、このカスタマイズ指令も変動中でないときに演出操作ボタンＳを操作することで実行可能に構成されている。カスタマイズの指令が設定であるときは（Ｓ１２１０：ＹＥＳ）、液晶表示装置ＬＣＤに対してカスタマイズ設定のための画面を表示する（Ｓ１２２０）。そして、カスタマイズ入力の結果に基づいて遊技履歴蓄積メモリ６３０のカスタマイズ履歴を更新し（Ｓ１２３０）、カスタマイズデータに基づく演出を実行する（Ｓ１２４０）。このカスタマイズ演出は、通常状態への戻しが指令されたときや（Ｓ１２５０：ＹＥＳ）、履歴蓄積が終了となったときに（Ｓ１２６０：ＹＥＳ）、閉じられ、通常表示へと戻される（Ｓ１２７０）。
【００７９】
カスタマイズ指令が履歴の読み出しであるときは（Ｓ１２１０：ＮＯ→Ｓ１２８０：ＹＥＳ）、遊技履歴蓄積メモリ６３０のカスタマイズ履歴を読み出し（Ｓ１２９０）、Ｓ１２４０へと進む。
【実施例２】
【００８０】
次に、実施例２について説明する。機器構成及び制御系統、履歴蓄積等の各処理は実施例１と同様であり、パスワード登録に関する処理内容を変更したものである。
【００８１】
このパスワード登録のための制御処理は、図１４（Ｂ）示す様な演算処理ルーチンとして実行される。このルーチンでは、遊技者からのパスワード登録要求があったときに、実施例１と同様のパスワード登録画面７１０を表示し（Ｓ１４１０，Ｓ１４２０）、パスワード入力が完了したと判断したら（Ｓ１４３０：ＹＥＳ）、記憶装置６００のパスワード記憶欄６１０に既に登録されているパスワードと重複しないかを判断し（Ｓ１４４０）、重複がない場合は（Ｓ１４４０：ＹＥＳ）、パスワード登録（Ｓ１４５０）へと進む。
【００８２】
一方、重複がある場合は（Ｓ１４４０：ＮＯ）、図１４（Ａ）に示す様に、実施例１と同様のパスワード登録画面７１０から、パスワード候補提示欄７３１を有するパスワード登録画面７３０へと切り換える（Ｓ１４６０）。このパスワード候補提示欄７３１には、複数のパスワード候補を提示し、それぞれにチェック欄７３２を表示して遊技者にいずれかを選定させる画面となっている。
【００８３】
遊技者が、演出操作ボタンＳを回転させてチェック欄７３２を選択して押下することにより、複数のパスワード候補の中から一つを選定させ（Ｓ１４７０）、パスワード登録を実行する。パスワード候補は、サブ制御基板３２０が既登録のパスワードとは重複しない様に生成する。なお、本実施例では、遊技者が記憶し易く、かつ重複を回避する様に、先頭４桁を西暦末尾及び月で構成し、これに続けて４桁のアルファベットで構成した例を示している。
【実施例３】
【００８４】
次に、実施例３について説明する。機器構成及び制御系統、履歴蓄積等の各処理は実施例１と同様であり、パスワード登録に関する処理内容を変更したものである。
【００８５】
このパスワード登録のための制御処理は、図１５（Ｂ）示す様な演算処理ルーチンとして実行され、遊技者からのパスワード登録要求があったときに、実施例２と同様のパスワード候補提示型のパスワード登録画面７３０を表示し（Ｓ１５１０，Ｓ１５２０）、パスワード選定がなされたら（Ｓ１５３０：ＹＥＳ）、パスワード登録（Ｓ１５５０）へと進む。
【００８６】
なお、パスワード候補は、実施例２と同様に、既登録のパスワードとは重複しない様に生成するから、本実施例では、重複登録回避の判断をしていない。
【実施例４】
【００８７】
次に、実施例４について説明する。機器構成及び制御系統、履歴蓄積等の各処理は実施例１と同様であり、パスワード登録に関する処理内容を変更したものである。
【００８８】
このパスワード登録のための制御処理は、図１６（Ｂ）示す様な演算処理ルーチンとして実行され、遊技者からのパスワード登録要求があったときに、パスワード入力欄７４１の下６桁を数字で構成し、上２桁をイニシャル入力欄７４５としたパスワード登録画面７４０を表示する（Ｓ１６１０，Ｓ１６２０）。そして、イニシャル入力欄７４５へのイニシャル入力を要求する表示を行い（Ｓ１６３０）、演出操作ボタンＳの回転操作と押下操作とによってアルファベット欄７４２からイニシャルに対応するアルファベットが入力されて登録が指令されたら（Ｓ１６５０）、パスワード登録（Ｓ１６６０）へと進む。
【００８９】
なお、パスワード登録画面７４０には、イニシャル入力を訂正することができる様に、登録ボタン７４３の他に訂正ボタン７４４も設けてある。また、イニシャルについては二桁のアルファベットであれば足り、実際の遊技者のイニシャルか否かは問わない。イニシャル入力要求としているのは、最終的には遊技者自身が選定した忘れにくいパスワードでの登録とするためである。
【実施例５】
【００９０】
次に、実施例５について説明する。機器構成及び制御系統、履歴蓄積等の各処理は実施例１と同様であり、履歴蓄積開始に関する処理内容を変更したものである。
【００９１】
この制御処理は、図１７（Ｂ）示す様な演算処理ルーチンとして実行される。このルーチンでは、遊技者からの履歴蓄積開始要求があったときに、パスワード入力画面を表示し（Ｓ１７１０，Ｓ１７２０）、遊技者がパスワードを入力し終えて決定したら（Ｓ１７３０：ＹＥＳ、Ｓ１７４０：ＹＥＳ）、記憶装置６００のパスワード記憶欄６１０に登録済みであるか否かを判断し（Ｓ１７５０）、登録済みである場合には（Ｓ１７５０：ＹＥＳ）、「履歴追加蓄積」の処理へと進む。
【００９２】
一方、登録済みでない場合には（Ｓ１７５０：ＮＯ）、イニシャルの入力を要求する表示を行い（Ｓ１７６０）、イニシャルが入力されたら（Ｓ１７７０：ＹＥＳ）、記憶装置６００のパスワード記憶欄６１０を検索して、イニシャルが一致するパスワードを抽出してパスワード検索結果表示画面７５０を液晶表示装置ＬＣＤに表示する（Ｓ１７８０）。
【００９３】
パスワード検索結果表示画面７５０は、図１７（Ａ）に示す様に、抽出したパスワードの前にチェック欄を設けたパスワード検索結果表示欄７５１と決定ボタン７５２とを備えた構成となっている。
【００９４】
遊技者がこのパスワード検索結果表示欄７５１のチェック欄にチェックを施して決定を指令したら（Ｓ１７９０：ＹＥＳ）、「履歴追加蓄積」の処理へと進む。なお、パスワード入力がなされないときも（Ｓ１７３０：ＮＯ）、Ｓ１７６０以下の処理を実行する。
【実施例６】
【００９５】
次に、実施例６について説明する。機器構成及び制御系統、履歴記憶の処理は実施例１と同様であり、履歴蓄積とパスワード登録に関する処理内容を変更したものである。
【００９６】
この実施例における履歴蓄積の演算処理では、図１８（Ｂ）に示す様に、最初にパスワード入力は求めず、蓄積開始指令があったら、遊技履歴蓄積メモリ６３０への蓄積を開始する（Ｓ１８１０）。そして、蓄積終了が指令されたら（Ｓ１８２０：ＹＥＳ）、実施例１のパスワード登録画面７１０と同様に、パスワード入力欄７６１、記号選択欄７６２、登録ボタン７６３及び訂正ボタン７６４を備えたパスワード入力画面７６０を表示する（Ｓ１８３０）。
【００９７】
演出操作ボタンＳの操作に基づいて遊技者がパスワードを入力し終えて決定を指令したら（Ｓ１８４０：ＹＥＳ）、記憶装置６００のパスワード記憶欄６１０に登録済みであるか否かを判断する（Ｓ１８５０）。登録済みである場合には（Ｓ１８５０：ＹＥＳ）、「履歴記憶」の処理へと進む。一方、登録済みでない場合には（Ｓ１８５０：ＮＯ）、パスワード新規登録を実行した上で（Ｓ１８６０）、「履歴記憶」の処理へと進む。
【００９８】
この実施例では、遊技開始時にパスワード入力を行って履歴の読み出し指令を行うことで、前回の成績を表示させるなどといった演出を楽しんだり、前回設定したカスタマイズデータを読み出して実行したりするといった履歴反映遊技が実行できる。前回の履歴の読み出しに当たっては入力すべきパスワードは、前回の遊技の際に遊技者自身が選定したものであるから、忘れ難い。
【実施例７】
【００９９】
次に、実施例７について説明する。機器構成及び制御系統、履歴反映演出等の各処理は実施例１と同様であり、履歴蓄積に関する処理内容を変更したものである。
【０１００】
この実施例における履歴蓄積の演算処理では、図１９（Ｂ）に示す様に、実施例１の履歴蓄積の処理と同様に構成され、パスワード入力画面７７０を表示し、パスワード入力を待ち（Ｓ１９１０，Ｓ１９２０）、パスワードが既登録の場合は履歴情報を読み出した上で（Ｓ１９３０：ＹＥＳ→Ｓ１９４０）、蓄積を開始し（Ｓ１９５０）、既登録でない場合はＳ１９４０をパスして履歴蓄積を開始する（Ｓ１９３０：ＮＯ→Ｓ１９５０）。
【０１０１】
そして、蓄積終了が指令されたら（Ｓ１９５０：ＹＥＳ）、再びパスワード入力画面７７０を表示し（Ｓ１９６０）、蓄積終了時にもパスワード入力を要求する。そして、蓄積開始時に入力したパスワードと一致しているときに「履歴記憶」へと進む（Ｓ１９７０：ＹＥＳ）。一方、蓄積開始時に入力したパスワードと一致しない場合は（Ｓ１９７０：ＮＯ）、入力エラーを表示して正しいパスワードの入力を要求する（Ｓ１９８０）。
【実施例８】
【０１０２】
次に、実施例８について説明する。機器構成及び制御系統、履歴蓄積等の各処理は実施例１と同様であり、履歴反映（大当たり演出）の内容を変更したものである。
【０１０３】
この実施例は、大当たり演出において、連荘回数ＲＮによって大当たり演出時に実行する演出内容が第１話，第２話，…と連続ドラマの様に変化する構成となったものである。
【０１０４】
そして、図２０（Ｂ）示す様に、大当たりが発生したときは（Ｓ２０１０）、連荘回数ＲＮに代えて、総当たり回数ＶＮtotal を利用するか否かを問い合わせ（Ｓ２０２０）、「ＹＥＳ」であれば履歴蓄積メモリ６３０の総大当たり回数ＶＮtotal を読み出して（Ｓ２０３０）、これを連荘回数ＲＮに設定し（Ｓ２０４０）、第ＲＮ話による大当たり演出を実行する（Ｓ２０５０）。
【０１０５】
また、連荘回数ＲＮに代えて、本日の大当たり回数ＶＮday を利用するか否かを問い合わせ（Ｓ２０２５）、「ＹＥＳ」であれば履歴蓄積メモリ６３０の本日の大当たり回数ＶＮday を読み出して（Ｓ２０３５）、これを連荘回数ＲＮに設定し（Ｓ２０４５）、第ＲＮ話による大当たり演出を実行する（Ｓ２０５０）。
【０１０６】
なお、Ｓ２０２０，Ｓ２０２５共に「ＮＯ」のときは、連荘回数ＲＮを書き換えることなく第ＲＮ話による大当たり演出を実行する（Ｓ２０５０）。
【０１０７】
以上説明した様に、これらの実施例１〜実施例７によれば、過去の履歴を反映した各種演出等を実行するためのパスワード登録、パスワード入力に際して、携帯端末を操作する必用がなく、誰でも容易に、特定のパチンコ機における遊技者固有の履歴を反映した各種演出を楽しむことができる。また、そのために必用な履歴情報は、当該遊技機の記憶装置６００にパスワードと対応付けて記憶させる構成であるから、サーバを用意しなくてもよい。
【０１０８】
この履歴を反映した演出等を楽しむために必用なパスワードは、その都度ランダムに生成されるパスワードではなく、遊技者自身が自らの入力によって選定したり、あるいは提示された複数の候補の中からの選択によって選定したり、イニシャルを追加する操作によって選定する結果、遊技者自身が忘れにくいものとなる。
【０１０９】
そして、特定の遊技機に遊技者自身の遊技履歴を記憶させる結果、遊技者は自分自身の気に入ったホールの気に入った遊技台で遊技する結果、当該遊技台の稼働率を向上させることができる。
【０１１０】
特に、１日では到底達成することのできない大当たり回数で初めて見られるプレミアム演出を用意する場合、この傾向は高まる。また、連続ドラマの様に連荘回数によって大当たり演出が第１話，第２話，…や、ＢＧＭの選択肢が増加する遊技機にあっては、遊技者自身の履歴を反映して擬似的に大連荘している状態と同様の大当たり演出を楽しむことができる結果、遊技機の稼働率を向上させる傾向を高める。
【０１１１】
そして、これらプレミアム演出や大連荘時の演出を、遊技者各自の履歴を利用して楽しむことができる結果、必要以上に長時間の遊技をしなくても、何日もかけてこれらの演出を楽しむことができる結果、多くの遊技者が当該遊技台で楽しむことにもつながり、稼働率向上に寄与する。
【０１１２】
また、遊技者自身が画面フレームやＢＧＭ等をカスタマイズできる遊技機にあっては、同じ遊技台に座れば、お気に入りのカスタマイズデータを容易に利用することができる点においても、遊技台の稼働率向上に繋がる。さらに、各遊技者にとって、発射装置の癖や、ＢＧＭの聞こえやすさなどを考慮した台選びに際して、成績を参照することもでき、台選びがし易くなるという効果も発揮される。そして、お気に入りの遊技台ができることにより、遊技者の楽しみも増大する。
【０１１３】
加えて、携帯端末のＩＤ確認等が不要であって、遊技者自身が選定するパスワードに対して遊技履歴を蓄積し、記憶させるので、パスワードを複数人が共有することもできる。そして、仲間内だけパスワードを共有しておいて、複数人で協力しあって大当たり回数を蓄積するといった楽しみ方も可能になる。
【０１１４】
これらの楽しみ方において、実施例１等で説明した様に、パスワード登録時に重複登録を回避する構成となっている結果、誰か分からない他人によって遊技履歴が書き換えられてしまう問題も回避することができる。実施例２，３等で説明した様に、既登録パスワードと重複しない新たなパスワードを生成して提示する構成も、こうした誤った遊技履歴の書き換えを防止する効果を発揮する。
【０１１５】
こうした遊技機側がパスワード候補を提示する場合においても、実施例４で説明した様に、イニシャルの追加によって自身のパスワードを覚えやすくし、実施例５で説明した様に、検索機能によって自身のパスワードを忘れた場合にも過去の履歴を無駄にすることなく遊技を楽しむことができる。
【０１１６】
なお、検索機能を用いて候補を提示する場合に、パスワード自体の他に、遊技者だけが知り得る関連事項、例えば、干支であるとか血液型など、遊技者が忘れることのない付加情報をパスワードと共に登録させることで、誤った選択を防止する構成を追加してもよい。
【０１１７】
いずれにしても、詳述した実施例によれば、次の様な作用・効果が発揮される。
（イ）毎回異なるパスワードを入力する必要がなくなる。
（ロ）携帯電話を使用する必要がなくなる。
（ハ）遊技者自身の過去の遊技履歴を反映させることのできる遊技機は特定されることになるが、その特定の遊技機で遊技をするために毎回同じ遊技機を選ぼうという心理が働き、当該遊技機の稼働率を向上させることも期待される。
（ニ）同じ遊技機であるからこそ、遊技者は、打球発射装置の癖などを知り、当該遊技機により合った打ち方を工夫するといった楽しみ方ができる。
（ホ）自己の遊技履歴情報を利用するためのサーバを備えるといった遊技機提供者側の設備投資や管理の煩雑さ、をなくし、インターネット等に繋がらない遊技機単体への遊技履歴情報の記憶は、セキュリティ面でも優れたものとなり、安心して遊技を楽しみ、安心して遊技場を運営することができるという効果もある。
そして、何よりも、遊技者が煩雑な作業をしなくても遊技履歴を利用した遊技を容易に楽しむことができる。
【０１１８】
以上、発明を実施するための実施例を説明したが、本発明は、これらに限定されるものではなく、その要旨を逸脱しない範囲内における種々の変更が可能である。
【０１１９】
パスワード登録は、実施例１等で説明した様に、「（ａ）遊技履歴蓄積手段による遊技履歴蓄積の開始前に実行させる構成」としてもよいし、実施例６で説明した様に、「（ｂ）遊技履歴情報をパスワード別遊技履歴情報記憶手段に記憶する際に実行させる構成」としてもよい。また、実施例１等で説明した様に、「（ｐ）遊技履歴情報の記憶に際して遊技履歴を対応付けるべきパスワードの入力を要件とする構成」とすることもできる一方、実施例７で説明した様に、「（ｑ）遊技履歴蓄積開始時にパスワード入力を要件としておき、遊技履歴情報の記憶の際にはパスワード入力を要件としない構成」とすることもできる。パスワード登録の時期を（ｂ）とする構成にあっては、（ｐ）の構成を採用することが望ましい。
【０１２０】
また、実施例７で説明した様に、遊技履歴蓄積開始時にパスワード入力を要件とし、遊技履歴情報記憶の際にもパスワード入力を要件とする場合には、「遊技履歴蓄積開始時に入力したパスワードと遊技履歴情報記憶の際に入力したパスワードの照合を行い、一致する場合に遊技履歴情報の記憶を行い、不一致の場合は、パスワードの再入力を求める構成」を採用するとよい。
【０１２１】
なお、蓄積される遊技履歴は、スタート回数、大当り回数や大当たりの種類、連荘回数、獲得出球などのメイン制御基板の演算処理結果としてサブ制御基板へと入力されるメイン系の遊技履歴や、特定の演出や予告の発生回数などといったサブ制御基板自身の演算処理結果に基づくサブ系の遊技履歴を挙げたが、メイン系遊技履歴、サブ系遊技履歴の両方を記憶しなくてもよい。また、例えばメイン系遊技履歴を記憶する場合、メイン系遊技履歴の全てである必用はなく、その一部であってもよい。サブ系遊技履歴についても同様である。
【０１２２】
さらに、ＢＧＭや表示画面のフレームなどに対する遊技者によるカスタマイズデータは履歴としては蓄積しない構成であっても構わない。
【０１２３】
こうして蓄積された遊技履歴は、例えば、「デモ画面表示中」や「変動演出が実行されていない状態」において、演出ボタン等を操作したときに「遊技履歴蓄積終了画面」を表示し、遊技者の操作に従って当該遊技者の選定したパスワードと対応付けた遊技履歴情報の蓄積を行う様に、「遊技者の積極的な指令」によって「所定の契機」を与える様に構成してもよいし、「貸し玉装置に挿入されていたカード媒体が取り出される」といった状態を「所定の契機」としてもよい。こうして「所定の契機」が与えられたとき、遊技履歴蓄積手段に蓄積された遊技履歴が、遊技者側が選定したパスワードと対応付けてパスワード別遊技履歴情報記憶手段に記憶される構成としてもよい。
【０１２４】
なお、演出操作ボタンＳの回転操作による記号の選択等を行うジョグキーを別途設けたり、液晶表示装置ＬＣＤにタッチパネル機能を追加してもよい。
【産業上の利用可能性】
【０１２５】
本発明はパチンコ機やスロットマシンなどの各種遊技機において利用することができる。
【符号の説明】
【０１２６】
３１０・・・主制御基板、３２０・・・サブ制御基板、３３０・・・払出制御基板、３３５・・・ＢＣユニット、３４０・・・発射制御基板、３５０・・・インタフェース基板、３６０・・・電源基板、３７０・・・演出表示制御基板、３８０・・・電源中継基板、３９０・・・球貸し操作基板、４００・・・ホールコンピュータ、５００・・・カードユニット、６００・・・記憶装置、６１０・・・パスワード記憶欄、６２０・・・遊技履歴欄、６３０・・・遊技履歴蓄積メモリ、７１０・・・パスワード登録画面、７１１・・・パスワード入力欄、７１２・・・記号選択欄、７１３・・・登録ボタン、７１４・・・訂正ボタン、７２０・・・パスワード入力画面、７２１・・・パスワード入力欄、７２２・・・記号選択欄、７２３・・・決定ボタン、７２４・・・訂正ボタン、７２５・・・新規ボタン、７３０・・・パスワード登録画面、７３１・・・パスワード候補提示欄、７３２・・・チェック欄、７４０・・・パスワード登録画面、７４１・・・パスワード入力欄、７４２・・・アルファベット欄、７４３・・・登録ボタン、７４４・・・訂正ボタン、７４５・・・イニシャル入力欄、７５０・・・パスワード検索結果表示画面、７５１・・・パスワード検索結果表示欄、７５２・・・決定ボタン、７６０・・・パスワード入力画面、７６１・・・パスワード入力欄、７６２・・・記号選択欄、７６３・・・登録ボタン、７６４・・・訂正ボタン、７７０・・・パスワード入力画面、７７１・・・パスワード入力欄、７７２・・・記号選択欄、７７３・・・登録ボタン、７７４・・・訂正ボタン、Ｐ・・・パチンコ遊技機、Ｇ・・・発射装置、Ｓ・・・演出操作ボタン、ＬＣＤ・・・液晶表示装置、ＬＥＤ・・・発光装置、ＭＴ・・・モータ、ＳＯＬ・・・ソレノイド、ＳＰ・・・スピーカ、ＳＥ１〜ＳＥ７・・・入賞検知センサ
【図１】
2014230642.tif 000003
【図２】
2014230642.tif 000004
【図３】
2014230642.tif 000005
【図４】
2014230642.tif 000006
【図５】
2014230642.tif 000007
【図６】
2014230642.tif 000008
【図７】
2014230642.tif 000009
【図８】
2014230642.tif 000010
【図９】
2014230642.tif 000011
【図１０】
2014230642.tif 000012
【図１１】
2014230642.tif 000013
【図１２】
2014230642.tif 000014
【図１３】
2014230642.tif 000015
【図１４】
2014230642.tif 000016
【図１５】
2014230642.tif 000017
【図１６】
2014230642.tif 000018
【図１７】
2014230642.tif 000019
【図１８】
2014230642.tif 000020
【図１９】
2014230642.tif 000021
【図２０】
2014230642.tif 000022